(57)【要約】【課題】アングル材製の定規プレートを取り付けずに済むことでコストを大きく節減でき、壁材を少ない部材によって容易に建築物躯体の梁材に支持固定できるようにする。【解決手段】上下壁材Ｐ１，Ｐ２同士を横目地用の隙間Ｓを隔てて梁材Ｑに支持固定する壁材用支持金物を、第１支持金具１１と第２支持金具２１とで構成する。第１支持金具１１は、下側壁材Ｐ１上部に固定する高さ調整用ボルト挿通孔１３を穿設した下側壁材取付面部１２と、上側壁材Ｐ２を載置可能とした上側壁材載置面部１６とを備える。第２支持金具２１は、梁材Ｑに固定する梁材固定面部２２と、第１支持金具１１を高さ調整自在にして当該第１支持金具１１を連結支持し、上側壁材Ｐ２を固定する上側壁材取付面部２３とを備える。高さ調整用ボルト挿通孔１３に沿う第１支持金具１１自体の下側壁材Ｐ１に対する上下動で横目地用の隙間Ｓ、上側壁材Ｐ２の支持高さを調整可能にする。【選択図】図１
2011149203.tif 000002
【特許請求の範囲】
【請求項１】
外壁・間仕切り壁等の上下壁材同士を横目地部となる隙間を隔てて梁材に支持固定する壁材用支持金物であって、該壁材用支持金物は、下側壁材上部に任意の高さ調整位置で固定するよう高さ調整用ボルト挿通孔が穿設されている下側壁材取付面部を有すると共に上側壁材を載置可能とした第１支持金具と、梁材に固定されて第１支持金具を高さ調整自在にして当該第１支持金具を連結支持し、上側壁材を固定する第２支持金具とを備えたことを特徴とした壁材用支持金物。
【請求項２】
第１支持金具は、下側壁材の上端部に取付けられ、高さ調整自在にして梁材に位置決めさせる高さ調整用ボルト挿通孔を有する下側壁材取付面部と、第２支持金具を組み合わせるよう下側壁材取付面部の上方に突出する連結用起立片と、上側壁材の下端部が載せられる上側壁材載置面部とを備えている請求項１記載の壁材用支持金物。
【請求項３】
第２支持金具は、梁材に固定される梁材固定面部と、前記第１支持金具の連結用起立片が高さ調整自在にして組み合わされて挿通される挿通開口部が開口形成されていると共に上側壁材の下端部を支持固定させるボルト挿通溝を有する上側壁材取付面部とを備えている請求項１または２記載の壁材用支持金物。
【請求項４】
第１支持金具と第２支持金具とは、第１支持金具の連結用起立片と第２支持金具の挿通開口部とが互いに挿通され、連結用起立片の外側面に上側壁材取付面部の内側面を当接させて連結固定して組合せられる請求項３記載の壁材用支持金物。
【請求項５】
連結用起立片は、第１支持金具の下側壁材取付面部内側面に当接固着されていて、第１支持金具と第２支持金具との組合せ時では下側壁材取付面部と上側壁材取付面部とが上下方向で面一となる請求項４記載の壁材用支持金物。
【発明の詳細な説明】
【技術分野】
【０００１】
本発明は、建築物における軽量気泡コンクリート（ＡＬＣ）による外壁・間仕切り壁等の壁材を梁材に支持固定するための壁材用支持金物に関する。
【背景技術】
【０００２】
近年、高温高圧多湿養生を意味するオートクレーブ状態で製造された軽量気泡コンクリート（ＡＬＣ）が、主に中低層建築物の外壁や床板、超高層マンションの廊下・バルコニー側の外壁、鉄骨造の倉庫や工場の外壁のパネル部品として使用されている。また、このようなＡＬＣパネルは、無機質材料を原料にしていることから法定不燃材料として認定され、加えてパネル内部に気泡を有しコンクリートに比べて約１／４程度の重量しかなく、軽量であることから他の建築材料と併用して高層建築物の間仕切り壁や防火区画等でも広く使用されている。このようなＡＬＣパネルを鉄骨造建造物の外壁として用いる場合には、従来からＨ型鋼による梁材に対し当該ＡＬＣパネルを金属製の支持金具を介して接合することで支持されている。
【０００３】
そのための支持金具としては、例えば特許文献１に開示されているようなスラブおよびＡＬＣアングルの処理構造なるものが存在する。これはＨ型鋼製の梁材に固定するアングル材と、このアングル材上に起立状となるよう取付けるスラブコンクリート止め兼定規プレートとから成り、アングル材は、一方リブ上で他方リブ寄りの位置に他方リブと対向する突条を長さ方向に沿って設け、一方リブに梁材へ溶接固定するための孔を設けて形成されている。そしてスラブコンクリート止め兼定規プレートを、他方リブと突条の間に嵌合して起立状に配置し、枠状に配置された梁材の上面スラブ形成部分にはデッキプレートが張設され、定規プレートで囲んだ空間に配筋とコンクリートの打設とを行なってスラブを形成している。すなわち、定規プレートは、係止片を突条と他方リブの上端に差込むことによって、アングル材上で垂直状の取付けとなり、その上端がスラブの上面の仕上り高さになる。そして、アングル材における他方リブの外面にＡＬＣの外壁材が重ねて配置され、外壁材は他方リブに係合させる係止金具とボルトとによってアングル材に固定化されている。
【０００４】
また、特許文献２に開示されているように、外壁パネルをカーテンウオール式に支持する外壁パネルの支持構造なるものが存在する。これはスラブまたは梁材の上端部にＬ字状のパネル支持部材をボルトによって止着する一方、外壁パネルの下端部に逆Ｌ字状の下部支承部材、上端部に上部支承部材をそれぞれ埋設し、下部支承部材の屈曲部の内側に形成された湾曲部分を、前記パネル支持部材の垂直部上端に相対摺動自在に係合させ、さらに垂直部に一定の間隔を保持して対向する規制部材を当該垂直部にボルトによって緊結している。そして、垂直部と規制部材との間に前記上部支承部材の先端の垂下部を位置させることによって、当該垂直部とパネル支持部材の垂直部と規制部材との間に所定のクリアランスを形成した状態で、上部支承部材を規制部材に係合させている。
【０００５】
また、特許文献３に開示されているように、コンクリート系の壁パネルの取付構造なるものが存在する。これは構造躯体の梁材に溶接したアングル材に壁パネル取付部材を取付け、壁パネル取付部材は、壁パネルに対し面内方向に揺動可能にして取付けられた取付金具に連結されて成る。
【０００６】
また、特許文献４に開示されているように、家屋構造体の外向き面に壁パネルを取付ける壁パネルの取付構造なるものが存在する。これは、梁材にＬ字枠状の支持金物の水平面側下面を溶接し、当該支持金具の垂直面側外面を、下側の壁パネルに埋設したアンカーボルトによって固定している。そして、上側の壁パネルに埋設したアンカーボルトによって固定された横長矩形状の当板金物を、支持金具の垂直面側内面に形成された高さ調整可能な調整金具によって支持させている。
【先行技術文献】
【特許文献】
【０００７】
【特許文献１】実用新案登録第２５１８１１７号公報
【特許文献２】特開昭６０−１０２４５２号公報
【特許文献３】特開昭６３−６７３５２号公報
【特許文献４】特開平２−１３６４５１号公報
【発明の概要】
【発明が解決しようとする課題】
【０００８】
しかしながら、上記した従来の支持・取付構造等において、特許文献１の場合には、定規プレートで囲んだ空間に配筋とコンクリートの打設とを行なってスラブを形成するため、梁材に固定したアングル材に対する定規プレートの取付作業が非常に面倒でかなりの時間を費やし、且つ定規プレートを使用した分だけコストが嵩むものとなっていた。しかも、アングル材における他方リブの外面にＡＬＣの外壁材が重ねて配置され、外壁材は他方リブに係合させる係止金具とボルトとによってアングル材に固定化されているので、上下外壁材相互間の目地の幅員調整は困難であった。
【０００９】
また、特許文献２の場合には、外壁パネルの下端部に逆Ｌ字状の下部支承部材、上端部に上部支承部材をそれぞれ埋設し、下部支承部材の屈曲部の内側に形成された湾曲部分を、前記パネル支持部材の垂直部上端に相対摺動自在に係合させ、さらに垂直部に一定の間隔を保持して対向する規制部材を当該垂直部にボルトによって緊結しているので、支持構造自体の取付作業が非常に面倒でかなりの時間を費やし、且つ上部支承部材、下部支承部材、規制部材それぞれを使用した分だけコストが嵩むものとなっていた。しかも、パネル支持部材の垂直部と規制部材との間に所定のクリアランスを形成した状態で、上部支承部材を規制部材に係合させているだけなので、上下外壁パネル相互間の目地の幅員調整が困難であった。
【００１０】
また、特許文献３の場合には、構造躯体の梁材に溶接したアングル材に取付られている壁パネル取付部材は、壁パネルに対し面内方向に揺動可能にして取付けられた取付金具に連結されているので、壁パネル内への取付金具の取付作業が非常に面倒でかなりの時間を費やし、且つこのような複雑な取付金具を使用した分だけコストが嵩むものとなっていた。しかも、このような取付金具の使用によりパネル相互の目地部のズレを小さくし、シーリング材に加わる変形度合いを極力小さくすることができるが、上下外壁パネル相互間の目地の幅員調整を可能にしたものではない。
【００１１】
また、特許文献４の場合には、下側の壁パネルに取付けた支持金具の垂直面側内面に形成されている高さ調整可能な調整金具によって、上側の壁パネルに取付けた当板金物を支持させていることによって上下外壁パネル相互間の目地の幅員調整を可能にしているが、調整金具自体は、ネジのねじ込み進退移動によってその高さ位置を調整するため、当板金物を支持したままでのねじ込み調整が非常に困難である。しかも、このようなネジ式による複雑な調整金具を使用した分だけコストが嵩むものとなっていた。
【００１２】
そこで、本発明は叙上のような従来存した諸事情に鑑み創出されたもので、従来必要とされていたアングル材製の定規プレートを取り付けずに済むことでコストを大きく節減でき、しかも外壁・間仕切り壁等の壁材を、当該壁材相互間の目地の幅員調整を可能にしながら、少ない部材によって容易に建築物躯体の梁材に支持固定させることができる壁材用支持金物を提供することを目的とする。
【課題を解決するための手段】
【００１３】
上述した課題を解決するために、本発明にあっては、外壁・間仕切り壁等の上下壁材Ｐ１，Ｐ２同士を横目地部となる隙間Ｓを隔てて梁材Ｑに支持固定する壁材用支持金物であって、該壁材用支持金物は、下側壁材Ｐ１上部に任意の高さ調整位置で固定するよう高さ調整用ボルト挿通孔１３が穿設されている下側壁材取付面部１２を有すると共に上側壁材Ｐ２を載置可能とした第１支持金具１１と、梁材Ｑに固定されて第１支持金具１１を高さ調整自在にして当該第１支持金具１１を連結支持し、上側壁材Ｐ２を固定する第２支持金具２１とを備えたものである。
第１支持金具１１は、下側壁材Ｐ１の上端部に取付けられ、高さ調整自在にして梁材Ｑに位置決めさせる高さ調整用ボルト挿通孔１３を有する下側壁材取付面部１２と、第２支持金具２１を組み合わせるよう下側壁材取付面部１２の上方に突出する連結用起立片１４と、上側壁材Ｐ２の下端部が載せられる上側壁材載置面部１６とを備えているものとできる。
第２支持金具２１は、梁材Ｑに固定される梁材固定面部２２と、前記第１支持金具１１の連結用起立片１４が高さ調整自在にして組み合わされて挿通される挿通開口部２５が開口形成されていると共に上側壁材Ｐ２の下端部を支持固定させるボルト挿通溝２４を有する上側壁材取付面部２３とを備えているものとできる。
第１支持金具１１と第２支持金具２１とは、第１支持金具１１の連結用起立片１４と第２支持金具２１の挿通開口部２５とが互いに挿通され、連結用起立片１４の外側面に上側壁材取付面部２３の内側面を当接させて連結固定して組合せられるものとできる。
連結用起立片１４は、第１支持金具１１の下側壁材取付面部１２内側面に当接固着されていて、第１支持金具１１と第２支持金具２１との組合せ時では下側壁材取付面部１２と上側壁材取付面部２３とが上下方向で面一となるようにするものとできる。
【００１４】
以上のように構成された本発明に係る壁材用支持金物にあって、下側壁材取付面部１２の高さ調整用ボルト挿通孔１３は、下側壁材Ｐ１の上端部側面に任意の高さ位置にスライド調整して第１支持金具１１を支持固定させる。
このとき、下側壁材取付面部１２の高さ調整用ボルト挿通孔１３に沿う第１支持金具１１自体の下側壁材Ｐ１に対する上下動でもって、横目地部となる上下壁材Ｐ１，Ｐ２同士の隙間Ｓの大きさを任意の幅員に調整させる。
第２支持金具２１の梁材固定面部２２は、梁材Ｑ上面に載置されて例えば溶接等で第２支持金具２１を梁材Ｑに固定させる。第２支持金具２１の梁材Ｑへの固定後あるいは第２支持金具２１の梁材Ｑへの固定と共に、第２支持金具２１の挿通開口部２５に第１支持金具１１の連結用起立片１４が組合せられるよう挿通され、上側壁材取付面部２３内側面に連結用起立片１４外側面を当接させ、連結用起立片１４、上側壁材取付面部２３相互の例えば溶接等による固定は、第１支持金具１１を第２支持金具２１に連結固定させ、こうして第１支持金具１１は第２支持金具２１を介して梁材Ｑに支持固定される。
第１支持金具１１の下側壁材取付面部１２への連結固定に際し、第１支持金具１１の下側壁材Ｐ１に対する上下方向のスライド高さ調整で下側壁材Ｐ１上端面に対する第１支持金具１１の上側壁材載置面部１６の間隔を変更させることで、下側壁材Ｐ１と上側壁材Ｐ２との目地幅高さに対応させ、これを設定させる。
第２支持金具２１における上側壁材取付面部２３のボルト挿通溝２４は、第１支持金具１１の上側壁材載置面部１６上に上側壁材Ｐ２の下端部が載せられた際にボルト２７によって当該上側壁材Ｐ２の下端部側面を第２支持金具２１に支持固定させる。
第１支持金具１１と第２支持金具２１との組合せ固定時で下側壁材取付面部１２と上側壁材取付面部２３とが上下方向で面一となることで、第１支持金具１１で固定する下側壁材Ｐ１と、第２支持金具２１で固定する上側壁材Ｐ２とのそれぞれの外側面を面一状とさせ、体裁を良好にする。
【発明の効果】
【００１５】
本発明によれば、外壁・間仕切り壁等の上下の壁材Ｐ１，Ｐ２相互を、従来必要とされていたアングル材製の定規プレートを梁材Ｑに取り付けることなく、第１支持金具１１、第２支持金具２１によって梁材Ｑに直接に支持固定でき、しかも当該壁材Ｐ１，Ｐ２相互間の目地の幅員調整を可能にしながら、少ない部材によって容易に建築物躯体の梁材Ｑに支持固定させることができ、コストを大きく節減できる。
【００１６】
すなわち、これは本発明が、下側壁材Ｐ１上部に任意の高さ調整位置で固定する高さ調整用ボルト挿通孔１３が穿設されている下側壁材取付面部１２を有すると共に上側壁材Ｐ２を載置可能とした第１支持金具１１と、梁材Ｑに固定されて第１支持金具１１を高さ調整自在にして当該第１支持金具１１を連結支持し、上側壁材Ｐ２を固定する第２支持金具２１とを備えたからであり、これら第１支持金具１１と第２支持金具２１との２つの部材によって直接、容易に建築物躯体の梁材Ｑに下側壁材Ｐ１，上側壁材Ｐ２を支持固定させることができ、しかも従来のようなアングル材製の定規プレートを取り付けずに済む。
【００１７】
第１支持金具１１は、下側壁材Ｐ１の上端部に取付けられ、高さ調整自在にして梁材Ｑに位置決めさせる高さ調整用ボルト挿通孔１３を有する下側壁材取付面部１２と、第２支持金具２１を組み合わせるよう下側壁材取付面部１２の上方に突出する連結用起立片１４と、上側壁材Ｐ２の下端部が載せられる上側壁材載置面部１６とを備えているので、下側壁材Ｐ１の上端部側面を支持固定する高さ調整用ボルト挿通孔１３に沿う第１支持金具１１自体の当該下側壁材Ｐ１に対する上下動で、上下壁材Ｐ１，Ｐ２相互間の横目地部形成用の隙間Ｓの大きさが容易に決められ、隙間Ｓの大きさを任意の幅員に確実に調整できるのである。
【００１８】
また、第１支持金具１１には、該第１支持金具１１に組合せられる第２支持金具２１の上側壁材取付面部２３が、挿通開口部２５によって第１支持金具１１の連結用起立片１４における外側に位置されて連結用起立片１４の外側面に上側壁材取付面部２３の内側面が当接し、そして相互に例えば溶接等で固定されるから、第２支持金具２１が梁材Ｑに固定されていることと相俟ち、下側壁材Ｐ１を固定している第１支持金具１１を第２支持金具２１によって強固に支持固定できる。しかも、第１支持金具１１の上側壁材載置面部１６に上側壁材Ｐ２の下端部が載せられることで、梁材Ｑの所定の高さ位置に上下両壁材Ｐ１，Ｐ２が取り付けられるため、上下壁材Ｐ１，Ｐ２相互間の目地の高さ幅員調整も容易に行える。
【００１９】
第２支持金具２１は、梁材Ｑに固定される梁材固定面部２２と、前記第１支持金具１１の連結用起立片１４が高さ調整自在にして組み合わされて挿通される挿通開口部２５とが開口形成されていると共に上側壁材Ｐ２の下端部を支持固定させるボルト挿通溝２４を有する上側壁材取付面部２３とを備えているので、梁材Ｑ面に固定した第２支持金具２１によって第１支持金具１１を連結支持でき、従来のアングル材製の定規プレートを使用せずに下側壁材Ｐ１は第１支持金具１１を介して、また第１支持金具１１で位置決めされた上側壁材Ｐ２を直接に固定支持できる。
【００２０】
また、挿通開口部２５に挿通させるようにした第１支持金具１１の連結用起立片１４の外側に第２支持金具２１の上側壁材取付面部２３を位置させるように第１支持金具１１に第２支持金具２１自体を組合せるとき、連結用起立片１４の外側面と上側壁材取付面部２３の内側面との上下方向に沿う当接幅員、すなわち第１支持金具１１の下側壁材Ｐ１に対する上下高さの取付調整によって、下側壁材Ｐ１，上側壁材Ｐ２相互間の目地幅高さの隙間Ｓの大きさを設定調整して溶接等で固定することができる。
【００２１】
尚、上記の課題を解決するための手段、発明の効果の項それぞれにおいて付記した符号は、図面中に記載した構成各部を示す部分との参照を容易にするために付したもので、図面中の符号によって示された構造・形状に本発明が限定されるものではない。
【図面の簡単な説明】
【００２２】
【図１】本発明を実施するための一形態における支持金物の取付状態を示す分解斜視図である。
【図２】同じく取付時の縦断面図である。
【図３】同じく正面図である。
【図４】（ａ）乃至（ｆ）は、施工手順を示す説明図である。
【図５】最上段にある壁材の上端部側面を梁材に取付ける状態の斜視図である。
【発明を実施するための形態】
【００２３】
以下、図面を参照して本発明の実施の一形態を詳細に説明すると、図において示される符号１は、軽量気泡コンクリート（ＡＬＣ）による外壁・間仕切り壁等の、建築物躯体においての上下方向に沿う複数の壁材Ｐ１，Ｐ２，…，Ｐｎ同士を、シーリング材もしくはモルタル等の目地材充填用の横目地部となる隙間Ｓを隔てて、例えばＨ型鋼等による梁材Ｑ等に支持固定することで、軽量気泡コンクリート（ＡＬＣ）を梁材Ｑに取り付けるための支持金物構成体である。
【００２４】
支持金物構成体１は、図１乃至図３に示すように、下側壁材Ｐ１の上部に任意の高さ調整位置で固定するよう高さ調整用ボルト挿通孔１３が穿設されている下側壁材取付面部１２を有すると共に上側壁材Ｐ２を載置可能とした第１支持金具１１と、梁材Ｑに溶接等で固定されて第１支持金具１１を高さ調整自在にして当該第１支持金具１１を溶接等で連結支持し、また上側壁材Ｐ２を固定する第２支持金具２１との２部材によって構成されている。
【００２５】
第１支持金具１１は、例えば鋼製帯板材を略逆Ｌ字状に折曲形成して成り、垂直部分である下側壁材取付面部１２の略中央には、下側壁材Ｐ１にねじ止めさせるボルト１８を挿通させるよう、縦方向に長円形状となった高さ調整用ボルト挿通孔１３を穿設してあり、また水平部分である上側壁材載置面部１６にはＬ字屈曲部中央から水平面に沿って、横目地部に充填されるシーリング材もしくはモルタル等の不図示の目地材を上側壁材Ｐ２下面側に通すための略縦長矩形状の目地材充填部１５が穿設されている。また、上側壁材載置面部１６は梁材Ｑ位置において、建築構造物に対して外方に向けられ、その上には上側壁材Ｐ２の下端部下面が載せられるものとなっている。
【００２６】
下側壁材取付面部１２の梁材Ｑに対向する面には、逆Ｌ字屈曲部中央から当該下側壁材取付面部１２の上方に突出するように矩形板状の連結用起立片１４の一端が溶接等によって固着されており、該連結用起立片１４は後述する第２支持金具２１における上側壁材取付面部２３の挿通開口部２５を通じて当該上側壁材取付面部２３の内側面側（建築構造物における内方側の面を内側面といい、同様に外方側の面を外側面といい、本明細書において同様に使用する）に潜り込むようにして組み合わされるようになっている。このとき、下側壁材取付面部１２は、上側壁材取付面部２３と同一垂直面となり、下側壁材Ｐ１と上側壁材Ｐ２とが上下で面一となって揃うように第２支持金具２１の厚みを考慮して形成してある（図２参照）。
【００２７】
第２支持金具２１は、第１支持金具１１の横幅員よりも若干幅広となった鋼製帯板材を略Ｌ字状に折曲形成して成り、水平部分である梁材固定面部２２は梁材Ｑの上面に当接されて溶接等で固着され、垂直部分である上側壁材取付面部２３は梁材Ｑの外方に所定の幅員で突出するよう、下側壁材Ｐ１上端面と所定の間隔を隔てて位置され、第１支持金具１１の連結用起立片１４と固定されると共に上側壁材Ｐ２を支持するようになっている。そのため、上側壁材取付面部２３のＬ字屈曲部中央から垂直面に沿って略横長矩形状の挿通開口部２５が穿設されていて、該挿通開口部２５に前記第１支持金具１１の連結用起立片１４が挿通されるようにして上側壁材取付面部２３の内側面と連結用起立片１４の外側面とが当接し、その間で高さ調整自在となって組み合わせられ、所定の高さ位置で溶接固定されるものとしてある。また、上側壁材取付面部２３の上端部は略山形に形成され、該山形中央には上側壁材Ｐ２にねじ止めさせるボルト２７を挿通させる矩形切欠状のボルト挿通溝２４が凹設されている。尚、梁材固定面部２２の下面は梁材Ｑの上部フランジＱ１の長手方向に沿った縁部に溶接等によって固着されるものとなっている。
【００２８】
尚、第１支持金具１１の使用に際しては、下側壁材取付面部１２の高さ調整用ボルト挿通孔１３を、下側壁材Ｐ１の上端部側面に埋設配置されているアンカー１７の位置に合致させ、高さ調整用ボルト挿通孔１３にボルト１８を挿入してアンカー１７にねじ込むことで第１支持金具１１は下側壁材Ｐ１に取り付けられる。そして、下側壁材Ｐ１自体は梁材Ｑの上部フランジＱ１に立て掛けるようにして位置決めされるものとしてある。
【００２９】
このような下側壁材Ｐ１への取り付けに際し、下側壁材取付面部１２の高さ調整用ボルト挿通孔１３に沿う第１支持金具１１自体の下側壁材Ｐ１に対する上下動でもって、横目地部となる上下壁材Ｐ１，Ｐ２同士の隙間Ｓの大きさに対応して任意の高さ幅員に調整可能としてある。
【００３０】
また、梁材Ｑに対して立て掛けられるように位置決めされる下側壁材Ｐ１において、下側壁材Ｐ１あるいは上側壁材Ｐ２の支持固定位置に対応して梁材Ｑの上部フランジＱ１面に予め溶接等にて固定されている第２支持金具２１に第１支持金具１１を連結固定するか、あるいは第２支持金具２１の上部フランジＱ１面への溶接固定と共に第１支持金具１１、第２支持金具２１相互が連結固定される。このとき、第１支持金具１１の連結用起立片１４は、第２支持金具２１の上側壁材取付面部２３の挿通開口部２５下方側から挿通開口部２５が連結用起立片１４に挿通されるよう位置合わせし、上側壁材取付面部２３の内側面側に連結用起立片１４が潜り込むようにして係合させ、所定の高さ位置で当該連結用起立片１４を上側壁材取付面部２３における挿通開口部２５の上縁に溶接等で固定させるものとしてある。上側壁材取付面部２３の内側面と連結用起立片１４の外側面との当接組合せに際し、その当接長さ間隔は、下側壁材Ｐ１と上側壁材Ｐ２との上下間の目地幅高さに対応し、下側壁材Ｐ１に対する第１支持金具１１のねじ止め位置の高さ調整用ボルト挿通孔１３に沿う方向のスライド調整で位置決めされる。このように、梁材Ｑの上部フランジＱ１に、第２支持金具２１の梁材固定面部２２の下面が溶接等で固着されていることと相俟ち、第２支持金具２１に連結固定される第１支持金具１１が下側壁材Ｐ１の上部を支持し、また上側壁材Ｐ２の下部を位置決めしている。
【００３１】
そして、上側壁材載置面部１６上に上側壁材Ｐ２の下端部下面が載せられた状態にしてから、上部フランジＱ１から上方に起立した状態にある上側壁材取付面部２３のボルト挿通溝２４の所定位置に、上側壁材Ｐ２の下端部側面に埋設配置されているアンカー２６の位置を合致させ、ボルト挿通溝２４にボルト２７を挿入してアンカー２６にねじ込むことで、梁材Ｑに対し上側壁材Ｐ２が所定の高さで固定されるものとしてある。
【００３２】
このようにして、所定の建築物躯体における高さの沿直方向で所定間隔毎に配置されている梁材Ｑ相互間で、下段側から上段側に、下側壁材Ｐ１の上部に取付けた第１支持金具１１を梁材Ｑに固定する第２支持金具２１に連結固定しながら順次に各壁材Ｐ１，Ｐ２，…，Ｐｎを貼設施工するのである。
【００３３】
また、最上段に位置する壁材Ｐｎの上端部は、図５に示すように、Ｈ型鋼による梁材Ｑの上部フランジＱ１に対して、Ｌ字片状の支持部材３１により固定される。すなわち、支持部材３１は、鋼製帯板材を略Ｌ字状に折曲形成して成り、折曲部分である水平片部、垂直片部それぞれの各片部の中央には、壁材Ｐｎの上端部に埋設配置されているアンカー３２にねじ込むボルト３３で緊結するための支持部材側ボルト挿入孔３４が穿設されている。また、屈曲部の内側は、左右一対のリブ状となった補強部３５が形成されている。
【００３４】
次に、以上のように構成された形態についての組立、使用の一例について説明すると、図４（ａ）に示すように、先ず、第１支持金具１１の下側壁材取付面部１２の高さ調整用ボルト挿通孔１３を下側壁材Ｐ１上端部側面のアンカー１７の位置に合致させ、高さ調整用ボルト挿通孔１３にボルト１８を挿入してアンカー１７にねじ込むことで第１支持金具１１を下側壁材Ｐ１に支持固定させておく。このとき、下側壁材Ｐ１の上端部側面を支持固定する下側壁材取付面部１２の高さ調整用ボルト挿通孔１３に沿う第１支持金具１１自体の下側壁材Ｐ１に対する上下動により、横目地部形成用の隙間Ｓの大きさおよび上側壁材Ｐ２の支持高さが調整設定される。尚、図４（ｂ）に示すように、第１支持金具１１の上側壁材載置面部１６は下側壁材Ｐ１の上端部上面に対向するように配置される。
【００３５】
そして、図４（ｃ）に示すように、下側壁材Ｐ１を梁材Ｑの上部フランジＱ１に立て掛けるようにして位置決めする。この場合の位置決めは、下側壁材Ｐ１の上端部が例えば梁材Ｑの上部フランジＱ１から例えば約１ｃｍ程度で上方に浮かせた状態となるように位置決めされる。また、この位置決め時には、下側壁材取付面部１２の高さ調整用ボルト挿通孔１３に沿う第１支持金具１１自体の下側壁材Ｐ１に対する上下動でもって、横目地部となる上下壁材Ｐ１，Ｐ２同士の隙間Ｓの大きさを任意の幅員に調整する。
【００３６】
次いで、図４（ｄ）に示すように、第１支持金具１１の連結用起立片１４に、第２支持金具２１の上側壁材取付面部２３を挿通開口部２５を通して組み合わせておく。
【００３７】
図４（ｅ）に示すように、連結用起立片１４の外側面と上側壁材取付面部２３の内側面とを部分的にでも当接させ、挿通開口部２５の縁部によって第１支持金具１１と第２支持金具２１とを溶接等で連結固定する。この連結固定と共に、梁材Ｑの上部フランジＱ１に、第２支持金具２１の梁材固定面部２２下面を溶接等で固定する。
【００３８】
然る後、図４（ｆ）に示すように、第１支持金具１１の上側壁材載置面部１６上に上側壁材Ｐ２の下端部下面を載せ、上側壁材取付面部２３のボルト挿通溝２４の所定位置に、上側壁材Ｐ２の下端部側面に埋設配置されているアンカー２６に、ボルト挿通溝２４を挿通させてボルト２７をねじ込むことで、第２支持金具２１を介して上側壁材Ｐ２を梁材Ｑの上部フランジＱ１に固定する。
【００３９】
また、図５に示すように、最上段に位置する壁材Ｐｎの上端部は、Ｈ型鋼による梁材Ｑの上部フランジＱ１に対して、Ｌ字片状の支持部材３１により固定される。そして、上下壁材Ｐ１，Ｐ２相互間の各横目地部には、シーリング材もしくはモルタル等の不図示の目地材が充填される。
【符号の説明】
【００４０】
Ｐ１…下側壁材                          Ｐ２…上側壁材
Ｐｎ…最上段に位置する壁材              Ｑ…梁材
Ｑ１…上部フランジ                      Ｓ…隙間
１…支持金物構成体
１１…第１支持金具                      １２…下側壁材取付面部
１３…高さ調整用ボルト挿通孔            １４…連結用起立片
１５…目地材充填部                      １６…上側壁材載置面部
１７…アンカー                          １８…ボルト
２１…第２支持金具                      ２２…梁材固定面部
２３…上側壁材取付面部                  ２４…ボルト挿通溝
２５…挿通開口部                        ２６…アンカー
２７…ボルト
３１…支持部材                          ３２…アンカー
３３…ボルト                            ３４…支持部材側ボルト挿入孔
３５…補強部
【図１】
2011149203.tif 000003
【図２】
2011149203.tif 000004
【図３】
2011149203.tif 000005
【図４】
2011149203.tif 000006
【図５】
2011149203.tif 000007